(57)【特許請求の範囲】
【請求項１】
撮影レンズと、
前記撮影レンズの光軸上に配置された撮像素子と、
前記撮影レンズの光軸に対して垂直な方向の回動軸を有し、前記撮影レンズから前記撮像素子に至る光路と斜めに交差する第１の位置と前記光路から外れる第２の位置とを含む範囲で、回動自在なミラーと、
前記ミラーの回動軸を支持するとともに、前記ミラーの回動範囲の一端を前記第１の位置に規定する支持部材と、
前記支持部材に固定され、供給される電力により前記ミラーを回動させる駆動部材と
を備えることを特徴とするデジタルカメラ。
【請求項２】
前記撮影レンズを保持し、前記撮像素子、前記ミラー、前記支持部材および前記駆動部材を収容する本体を備え、
前記撮影レンズは光軸方向に可動で、少なくともその一部が前記本体に収容可能であり、
前記支持部材は、前記ミラーの回動軸と平行な回動軸を有し、前記撮影レンズが前記本体に収容される際に、前記撮影レンズを収容するレンズ鏡筒によって押されて、前記ミラーと共に回動する
ことを特徴とする請求項１に記載のデジタルカメラ。
【請求項３】
前記駆動部材への電力の供給を制御する制御部を備え、
前記制御部は、前記撮影レンズが前記本体に収容される間、前記駆動部材への電力の供給を断つ
ことを特徴とする請求項２に記載のデジタルカメラ。
【請求項４】
前記駆動部材は自己保持型であり、電力を供給されないときは、前記ミラーを前記第１の位置または前記第２の位置に保つ
ことを特徴とする請求項１に記載のデジタルカメラ。
【発明の詳細な説明】
【０００１】
【発明の属する技術分野】
本発明はデジタルカメラに関し、特に、撮影レンズからの光路を分岐して光学ファインダに導くミラーを備えたデジタルカメラに関する。
【０００２】
【従来の技術】
一般に、デジタルカメラには液晶表示器等の表示装置が備えられており、表示装置は、撮影し記録した画像の再生表示と、撮影中の画像の表示に用いられている。使用者は表示される撮影中の画像を見ながら構図を設定したり合焦状態を確認したりすることができ、表示装置はビデオファインダとして機能する。ところが、表示装置の電力消費は多いため、表示装置をファインダとして利用すると、デジタルカメラの電源である電池の消耗が加速されてしまい、撮影可能な時間が短くなる。
【０００３】
この不都合を避けるために、光学ファインダを備えたデジタルカメラもある。光学ファインダを備えるデジタルカメラには、撮影レンズを介さずに光をファインダに導く別体型と、撮影レンズを透過した光を反射してファインダに導く一眼レフ（ＳＬＲ）型とがある。別体型ではファインダと撮影レンズにパララックスが生じてしまうが、ＳＬＲ型は本質的にパララックスがないという特長を有する。
【０００４】
ＳＬＲ型では、撮影レンズから撮像素子に至る光路上に配置されて撮影レンズ透過光を反射するミラーと、反射された光を使用者の眼に導くとともに観察される像を正立正像とするためのプリズムが備えられる。ミラーとしてはハーフミラーが用いられており、撮影レンズからの光は、一部が反射されてファインダに導かれ、残りが透過して撮像素子に導かれる。ハーフミラーの配置は固定であり、したがって、撮像素子に導かれる光は常に撮影レンズを透過した光の一部のみとなり、撮影レンズ透過光の全てを撮影に利用することはできない。このため、暗い環境での撮影においては、良好な画像を提供することができなくなる。
【０００５】
一方、よく知られているように、銀塩フィルムを感光させる方式のＳＬＲ型のカメラでは、従来より、撮影レンズからフィルムに至る光路上に全反射ミラーを斜めに配置し、回動によりミラーを光路から退避させることが行われている。撮影すなわちフィルムの露光直前まではミラーを光路上に位置させて光をプリズムに向けて反射させ、撮影時にはミラーを退避させて光をフィルムに導き、撮影直後にミラーを光路上に戻す制御が行われる。この方式のミラーはクイックリターンミラーと呼ばれている。
【０００６】
クイックリターンミラーは、通常、フィルムの巻き上げ動作で機械的に蓄えられる力により駆動される。フィルムの巻き上げをモータで行うカメラでも同様である。近年では、駆動用のモータによってクイックリターンミラーを直接回動させることも提案されている。
【０００７】
デジタルカメラの撮像素子は、一般に、対角長が１０ｍｍ前後程度であり、銀塩フィルムの１コマに比べてかなり小さい。このため、撮影レンズをはじめとする諸部材も小型のものでよく、デジタルカメラは銀塩カメラに比べて小型、軽量になっている。撮影レンズをその光軸方向に可動とし、使用しないときに撮影レンズの全体または一部をカメラ本体に収容するようにして、さらなる小型化を図ったデジタルカメラもある。
【０００８】
【発明が解決しようとする課題】
銀塩カメラで採用されているクイックリターンミラーをデジタルカメラに備えれば、ハーフミラーを固定配置した構成において生じる撮像素子への光量低下の問題を回避することができる。しかも、撮像素子が小さいため、ミラーは小さなものでよく、ミラーを回動させるための駆動力も僅かでよい。
【０００９】
ところが、デジタルカメラにはフィルム巻き上げ機構がないため、ミラーを回動するための駆動力をフィルム巻き上げ動作によって蓄えることはできない。ミラー駆動用のモータを備えることは可能であるが、そのようにすると、デジタルカメラの小型軽量化が難しくなる。また、電力消費の多いモータを備えれば、電池の消耗を助長することになる。
【００１０】
さらに、従来のカメラでは、クイックリターンミラーを支持する部材が固定されており、その構成をそのまま採用すると、撮影レンズのカメラ本体への収容ができなくなる。すなわち、撮影レンズと撮像素子の間に、支持部材が光路に斜交するように配置されることになり、撮影レンズを動かし得る範囲がきわめて狭くなって、撮影レンズのかなりの部分を本体に収容することは不可能になる。
【００１１】
本発明は、このような問題点に鑑みてなされたもので、撮影レンズ透過光を分岐させる退避可能なミラーを備えた小型のデジタルカメラを提供することを目的とする。
【００１２】
【課題を解決するための手段】
上記目的を達成するために、本発明では、デジタルカメラに、撮影レンズと、撮影レンズの光軸上に配置された撮像素子と、撮影レンズの光軸に対して垂直な方向の回動軸を有し、撮影レンズから撮像素子に至る光路と斜めに交差する第１の位置と光路から外れる第２の位置とを含む範囲で、回動自在なミラーと、ミラーの回動軸を支持するとともに、ミラーの回動範囲の一端を第１の位置に規定する支持部材と、支持部材に固定され、供給される電力によりミラーを回動させる駆動部材とを備える。
【００１３】
ミラーは、少なくとも第１の位置と第２の位置を含む範囲で回動可能であり、第１の位置にあるときに撮影レンズから撮像素子に至る光路と斜交し、第２の位置にあるときに光路から退避する。ミラーは全反射ミラーでもハーフミラーでもよい。全反射ミラーの場合は、第１の位置で、撮影レンズ透過光を全て反射することになり、第２の位置にあるときに限り撮像素子による撮影が可能になる。ハーフミラーの場合は、第１の位置で、撮影レンズ透過光の一部を反射し、残りを透過させて撮像素子に導くことになり、第２の位置のみならず第１の位置でも撮像素子による撮影が可能になる。
【００１４】
支持部材はミラーの回動軸を支持し、また、ミラーの回動し得る範囲を規制して、回動範囲の一端を第１の位置に規定する。これにより、光路に進出しているときのミラーの光路に対する傾きが固定され、反射光の方向が一定になる。
【００１５】
駆動部材は、支持部材に固定されており、支持部材に対して相対的にミラーを回動させる。駆動部材はミラーを回動させるための駆動力を電力から生成するが、必ずしも回転力を直接生成する必要はない。例えば、駆動部材が直線的な動きをし、その動きを回転としてミラーに伝達するようにすると、簡素な構成でありなが、ミラーを迅速に回動させることができる。しかも、駆動部材を第１の位置にあるミラーに沿って光路に対して斜めに配置することができるから、全体構成の大型化が避けられる。
【００１６】
本発明ではまた、上記のデジタルカメラに、撮影レンズを保持し、撮像素子、ミラー、支持部材および駆動部材を収容する本体を備えて、撮影レンズを光軸方向に可動にして、少なくともその一部を本体に収容し得る構成とする。ここで、支持部材は、ミラーの回動軸と平行な回動軸を有し、撮影レンズが本体に収容される際に、撮影レンズを収容するレンズ鏡筒によって押されて、ミラーと共に回動するものとする。
【００１７】
支持部材を回動させることにより、本体内に撮影レンズを収容するための広い空間を現出することができる。ミラーも支持部材と共に回動するから、あらかじめ第１の位置に設定しておくことで、ミラー自体が撮影レンズの収容の妨げとなることも避けられる。駆動部材も、支持部材と共に回動するため、撮影レンズの収容の妨げにはならない。支持部材はレンズ鏡筒で押されることによって回動するから、支持部材を回動させるための駆動機構は不要である。
【００１８】
駆動部材への電力の供給を制御する制御部を備え、制御部が、撮影レンズが本体に収容される間、駆動部材への電力の供給を断つようにするとよい。撮影レンズの収容動作の間にミラーが回動するのを避けることができて、ミラーと撮影レンズの衝突による両者の損傷を防止することができる。
【００１９】
駆動部材を自己保持型として、電力を供給されないときは、ミラーを第１の位置または第２の位置に保つものとするとよい。ミラーを停止している状態に保つための電力が不要になり、電力消費を低減することができる。
【００２０】
【発明の実施の形態】
以下、本発明のデジタルカメラの一実施形態について、図面を参照しながら説明する。図１、図２および図３はそれぞれ、デジタルカメラ１の上面図、側方から見た断面図、および背面図である。デジタルカメラ１は、箱型のカメラ本体２と、交換可能な撮影レンズ３０１と、光学ファインダ２２から構成されている。カメラ本体２には使用者が把持するためのグリップＧが形成されており、グリップＧの上面にはシャッタボタン９が設けられている。グリップＧの内部は電池室となっており、駆動源である単三形乾電池が４本格納されている。また、本体の上面には電源スイッチＰＳが設けられている。
【００２１】
カメラ本体２はクイックリターンミラーを備えたＳＬＲ型として構成されている。シャッタボタン９を押すことにより、撮影レンズ３０１の光軸に対して垂直な方向の回動軸を端部に有するクイックリターンミラーＭ１が、撮影レンズ３０１の光軸と４５゜の角度で交差する第１の位置（図２に実線で示し、以下、この位置を進出位置という）から、光路より外れるファインダ２２側の第２の位置（図２に破線で示し、以下、この位置を退避位置という）まで回動するとともに、フォーカルプレーンシャッタ２６が開く。これにより、撮影レンズ３０１を透過した光が撮像素子であるＣＣＤ３０２上に結像し、ＣＣＤ３０２が画素ごとに受けた光を電気信号に変換することにより、撮影が行われる。ＣＣＤ３０２はＣＣＤユニット３０３内に納められている。
【００２２】
撮影レンズ３０１は、第１レンズ群３１０２と第２レンズ群３１０３より成るズームレンズである。第１レンズ群３１０２はレンズ鏡筒３０１１内部に設けられたズームモータ３１０４によって駆動される。第１レンズ群３１０２と第２レンズ群３１０３の間隔が変わることにより、撮影レンズ３０１全体としての焦点距離が変化し、これによりズーム機能が実現される。
【００２３】
カメラ本体２の内部には撮影レンズ３０１を駆動するためのステッピングモータ２２１が備えられており、その回転軸にはスクリュー２２１１が結合されている。スクリュー２２１１はレンズ鏡筒３０１１の後端部に設けられた係合穴３０１４と係合しており、モータ２２１の回転駆動により撮影レンズ３０１全体がその光軸方向に移動する構成となっている。これにより、撮影レンズ３０１の焦点調節が行われる。デジタルカメラ１では、非使用時には、図２に矢印Ａ１で示す方向に撮影レンズ３０１を移動させて、その大部分をカメラ本体２に収容し得るように構成されている。撮影レンズ３０１のカメラ本体２への収容もモータ２２１によって行われる。
【００２４】
撮影レンズ３０１のレンズ鏡筒３０１１内には、絞り３１０５と、これを制御する絞り制御ドライバ３１０６が設けられており、また、光量調節用のＮＤフィルタ３１０７と、これを光路に進退させるためのアクチュエータ３１０８が設けられている。
【００２５】
クイックリターンミラーＭ１はハーフミラーであり、撮影レンズ３０１側の表面に反射膜が設けられている。ミラーＭ１の透過率は７０％に設定されており、したがって、ミラーＭ１が進出位置にあるときでも、撮影レンズ３０１透過後の光量の３０％がファインダ２２側に導かれ、残りの７０％がＣＣＤ３０２側に導かれる。このため、ミラーＭ１が退避位置にあるときだけでなく、進出位置にあるときでも撮影が可能である。デジタルカメラ１では、シャッタボタン９の操作に応じてクイックリターンミラーＭ１を退避位置まで回動させて撮影を行うモードと、シャッタボタン９が操作されてもクイックリターンミラーＭ１を進出位置に留めて撮影を行うモードを選択することができる。後者のモードでは、使用者は常に光学ファインダ２２で構図を確認することが可能である。
【００２６】
ＣＣＤユニット３０３は、ＣＣＤ３０２のほかに、ＣＣＤ３０２が受ける光の周波数特性を制御するための空間ローパスフィルタ３０４と、ＣＣＤ３０２の分光感度特性を補正するための赤外カットフィルタ３０５を一体的に備えている。クイックリターンミラーＭ１を進出位置に留めて撮影をする際には、駆動部３０６によってＣＣＤユニット３０３を図２の矢印Ａ３の方向に変位させて、ミラーＭ１が退避位置にあるときとの光路の差異を補正する。つまり、ミラーＭ１が進出位置にあるときには、退避位置にあるときに比べて、合焦位置は矢印Ａ３方向に変化することになり、これをＣＣＤユニット３０３の後方下方への変位で補正する。
【００２７】
ＣＣＤユニット３０３の前後方向の変位により光路長の差が除去され、上下方向の変位によりＣＣＤ３０２上での光の結像位置の差が除去される。ＣＣＤユニット３０３の変位量は、ミラーＭ１の屈折率、厚さ、および進出位置での撮影レンズ３０１の光軸に対する傾きを考慮して設定されている。
【００２８】
ＣＣＤユニット３０３を変位させるための機構３０７を図４に示す。図４において、（ａ）は変位機構３０７の正面図、（ｂ）はＣＣＤユニット３０３を変位させないとき、つまりミラーＭ１を退避位置に回動させたときの、変位機構３０７の断面図、（ｃ）はＣＣＤユニット３０３を変位させたとき、つまりミラーＭ１を進出位置に留めたときの、変位機構３０７の断面図である。
【００２９】
ＣＣＤユニット３０３は、断面が平行四辺形であり、４つの側面がガイド部材３０７ａ、３０７ｂ、３０７ｃ、３０７ｄに接して、摺動するように構成されている。ガイド部材３０７ａ〜３０７ｄはカメラ本体２に固定されている。ガイド部材３０７ｄの側部には、ＣＣＤユニット３０３の変位方向に沿って長穴が形成されており、ＣＣＤユニット３０３と一体化されている係合部材３０６ａが、その長穴から外部に突出している。ガイド部材３０７ｄの外側には、ＣＣＤユニット３０３を駆動するための駆動部３０６が固定されている。
【００３０】
駆動部３０６はシリンダ３０６ｃとその内部を摺動するプランジャ３０６ｂより成り、シリンダ３０６ｃ内部に設けられた電磁石でプランジャ３０６ｂを移動させる。プランジャ３０６ｂの先端はＣＣＤユニット３０３に設けられた係合部材３０６ａに係合している。
【００３１】
電磁石のほかに、駆動部３０６のプランジャ３０６ｂとシリンダ３０６ｃにはそれぞれ永久磁石が備えられている。これらの永久磁石は、両極を結ぶ方向がプランジャの移動方向と一致するように配置されている。Ｎ極からＳ極に向かう方向はプランジャの永久磁石とシリンダの永久磁石とで逆であり、また、プランジャの磁石の両極間距離はシリンダの磁石の両極間距離の半分程度に設定されている。したがって、電磁石への通電がないとき、プランジャは、プランジャのＮ極とシリンダのＳ極が対向する位置と、プランジャのＳ極とシリンダのＮ極が対向する位置の２ヶ所で安定する。
【００３２】
この構成により、駆動部３０６は可動部材であるプランジャ３０６ｂの位置を外力によらずに２ヶ所で保持する自己保持型となっている。電磁石は、プランジャとシリンダの永久磁石間の引力よりも大きな力を生成して、プランジャを移動させる。ただし、プランジャとシリンダの永久磁石の強さは、僅かな衝撃ではプランジャが移動しない範囲で低く設定されており、電磁石の電力消費は僅かである。また、プランジャを移動させた後は電磁石への通電は不要であり、移動のため以外には電力消費はない。
【００３３】
ＣＣＤユニット３０３がカメラ本体２の前側（かつ上側）に位置する図４（ｂ）の状態で、駆動部３０６に順方向に通電すると、プランジャ３０６ｂは矢印Ａ３方向に移動して、ＣＣＤユニット３０３を同じ方向に移動させる。ＣＣＤユニット３０３はガイド部材３０７ａ、３０７ｂの後端３０７ｅ、３０７ｆに当接することにより停止し、カメラ本体２の後側（かつ下側）に位置する図４（ｃ）の状態となる。ＣＣＤユニット３０３が後側に位置する図４（ｃ）の状態で、駆動部３０６に逆方向に通電すると、プランジャ３０６ｂは矢印Ａ４方向に移動して、ＣＣＤユニット３０３を同じ方向に移動させる。ＣＣＤユニット３０３はガイド部材３０７ａ、３０７ｂの前端３０７ｇ、３０７ｈに当接することにより停止し、前側に位置する図４（ｂ）の状態となる。
【００３４】
駆動部３０６のプランジャ３０６ｂの一方の自己保持位置は、ガイド部材３０７ａ、３０７ｂの後端３０７ｅ、３０７ｆよりも少し後方に設定されており、他方の自己保持位置は、ガイド部材３０７ａ、３０７ｂの前端３０７ｇ、３０７ｈよりも少し前方に設定されている。このため、ＣＣＤユニット３０３には、後端３０７ｅ、３０７ｆまたは前端３０７ｇ、３０７ｈに押し当てる付勢力が働くことになり、ＣＣＤユニット３０３の位置はガイド部材３０７ａ、３０７ｂによって決定される。したがって、ＣＣＤユニット３０３の位置は厳密に定まる。
【００３５】
なお、ここでは永久磁石の引力を利用して駆動部３０６の自己保持を実現したが、永久磁石の斥力によりＣＣＤユニット３０３をガイド部材３０７ａ、３０７ｂの前端や後端に押し当てる構成とすることもできる。
【００３６】
また、駆動部３０６を自己保持型とすることに代えて、非通電時にはＣＣＤユニット３０３をバネで後側に保持するようにし、通電時にバネの付勢力に抗してＣＣＤユニット３０３を前側に移動させるようにしてもよい。逆に、非通電時にはＣＣＤユニット３０３をバネで前側に保持するようにし、通電時にバネの付勢力に抗してＣＣＤユニット３０３を後側に移動させるようにしてもよい。駆動部３０６への通電を止めることにより、ＣＣＤユニット３０３は後側または前側に戻ることになる。
【００３７】
図２に示すように、デジタルカメラ１のファインダ２２内には、フォーカシングスクリーン２２０、ペンタプリズム２２５および接眼レンズ２２６が備えられている。クイックリターンミラーＭ１が進出位置にあるときの撮影レンズ３０１の光軸とミラーＭの交点Ｂからスクリーン２２０までの光路長と、ＣＣＤユニット３０３が前側の位置（図４（ｂ））にあるときの交点ＢからＣＣＤ３０２の受光面までの光路長は、等しく設定されている。したがって、スクリーン２２０に結像した像により合焦状態を確認した後、ミラーＭ１を退避位置まで回動させて撮影を行う場合は、ＣＣＤユニット３０３を後側の位置（図４（ｃ））に移動させなくても、撮影される画像の合焦状態は確保される。
【００３８】
デジタルカメラ１は撮影した画像を記録するためのメモリカード８を装着することができる。メモリカード８は着脱可能であり、図１、図３に示すように、ファインダ２２内に挿入される。ファインダ２２の右側部にはメモリカード８を挿入するためのスロットが設けられている。
【００３９】
図３に示すように、カメラ本体２の背面には、液晶表示器（ＬＣＤ）２１２が備えられている。ＣＣＤ３０２で撮影した画像を直ちに表示することで、ＬＣＤ２１２はビデオファインダとして機能する。ＬＣＤ２１２には、メモリカード８に記録されている画像を再生表示することもできる。カメラ本体２の背面には、ＬＣＤ２１２のオン／オフを切り替えるための表示ボタン２１３も設けられている。表示ボタン２１３を押すごとに、ＬＣＤ２１２への電力の供給と停止が切り替わる。
【００４０】
光学ファインダ２２の上面には、撮影モードをはじめとするデジタルカメラ１の動作モードを設定するための、モード切り替えダイヤルＭＯＤＥが設けられている。
【００４１】
デジタルカメラ１は、ファインダの利用に関して３つの撮影モードを有している。これらを、光学ファインダモード１（ＯＦ１）、光学ファインダモード２（ＯＦ２）、および液晶ファインダモード（ＬＣＤ）と呼ぶ。光学ファインダモード１、２は、光学ファインダ２２とＬＣＤ２１２を併用できるモードであり、液晶ファインダモードはＬＣＤ２１２のみを使用するモードである。
【００４２】
光学ファインダモード１では、記録する画像を撮影する時にクイックリターンミラーＭ１を退避位置まで回動させ、それ以外の時はミラーＭ１を進出位置に保つ。光学ファインダモード２では、クイックリターンミラーＭ１を常に進出位置に保つ。液晶ファインダモードでは、クイックリターンミラーＭ１を常に退避位置に保つ。表１に、各モードでの記録画像撮影時とそれ以外の時の、クイックリターンミラーＭ１の位置、ＬＣＤ２１２のオン／オフ、表示ボタン２１３の有効／無効、およびＣＣＤユニット３０３の位置の設定を示す。
【００４３】
【表１】
0003718744.tif 000002
【００４４】
光学ファインダモード１および２では、表示ボタン２１３の操作は有効で、その操作に応じてＬＣＤ２１２のオン／オフを切り替える。液晶ファインダモードでは、表示ボタン２１３の操作は無効とされ、ＬＣＤ２１２は強制的にオンに設定される。液晶ファインダモードでは、ミラーＭ１を退避位置に設定するため光学ファインダ２２には像が形成されず、このとき表示ボタン２１３の操作を有効にすると、ファインダ像が全く得られないという状況が生じ得るが、ＬＣＤ２１２を強制的にオンにして映像を表示させることで、使用者の混乱を避けることができる。
【００４５】
光学ファインダモード１での記録画像撮影時以外を除き、各撮影モードでは、クイックリターンミラーＭ１を進出位置に設定するか退避位置に設定するか応じて、ＣＣＤユニット３０３の位置を図４（ｂ）に示した前側と図４（ｃ）に示した後側のいずれかに設定する。したがって、撮影モードの切り替え時と光学ファインダモード１におけるＬＣＤ２１２のオン／オフの切り替え時のごく短い期間を除いて、ＬＣＤ２１２に表示される画像にミラーＭ１の位置の違いに起因するピントのずれは発生しない。
【００４６】
光学ファインダモード１においては、ＬＣＤ２１２がオフであれば、クイックリターンミラーＭ１が進出位置にある場合でも、ＣＣＤユニット３０３は前側の位置に設定する。この状態で表示ボタン２１３が操作されてＬＣＤ２１２に表示を開始する場合、直ちに表示を開始するのではなく、ＣＣＤユニット３０３の後側への移動の完了を待って表示を開始するようにしている。このため、ＣＣＤ３０２により所定の時間間隔で次々と撮影される画像のうち、ピントの合っていないものがＬＣＤ２１２に表示されることはない。
【００４７】
デジタルカメラ１の概略の回路構成を図５に示す。デジタルカメラ１は、全体制御部２１１とカメラ制御ＣＰＵ２２０を備えている。全体制御部２１１は、ＣＣＤ３０２による撮影とその出力信号の処理を制御するとともに、シャッタボタン９、電源スイッチＰＳ、表示ボタン２１３等のデジタルカメラ１に設けられたあらゆるスイッチ類を含む操作部２５０の設定状況や入力操作を監視する。全体制御部２１１は、また、ＬＣＤ２１２のオン／オフやメモリカード８の読み書きも制御する。
【００４８】
カメラ制御ＣＰＵ２２０は、クイックリターンミラーＭ１、ＣＣＤユニット変位機構３０７、フォーカルプレーンシャッタ２６等、全体制御部２１１によって制御されない各部を制御し、また、全体制御部２１１の制御も行う。全体制御部２１１とカメラ制御ＣＰＵ２２０は、制御に必要な情報を授受し合う。カメラ制御ＣＰＵ２２０は、撮影レンズ３０１に関する全ての制御も司る。例えば、レンズ駆動モータ２２１を介しての撮影レンズ３０１の焦点調節やカメラ本体２への収容、絞り制御ドライバ３１０６を介しての絞り３１０５の調節、アクチュエータ３１０８を介してのＮＤフィルタ３１０７の設定を行う。
【００４９】
デジタルカメラ１は、ＣＣＤ３０２による撮影とその出力信号の処理のために、タイミング制御回路２０２、タイミングジェネレータ２１４、信号処理回路２１３、Ａ／Ｄ変換器２０５、黒レベル補正回路２０６、ＷＢ（ホワイトバランス）回路２０７、γ補正回路２０８、および画像メモリ２０９を備えており、ＬＣＤ２１２による画像表示のために、ＶＲＡＭ２１０を備えている。
【００５０】
ＣＣＤ３０２は、Ｒ（赤）、Ｇ（緑）、Ｂ（青）の色成分の光を選択的に光電変換する３種の画素を、２次元に一定の様式で交互に配置して成る。ＣＣＤ３０２は、レンズ３０１によって結像された被写体の光像を、Ｒ、Ｇ、Ｂの色成分の画像信号（各画素が光電変換により生成した画素信号の列から成る信号）に変換して出力する。
【００５１】
タイミングジェネレータ２１４は、ＣＣＤ３０２の動作を制御するための種々のタイミングパルスを生成する。タイミングパルスの生成は、タイミング制御回路２０２から与えられる基準クロックに基づいて行われる。タイミングジェネレータ２１４が生成しＣＣＤ３０２に供給するタイミングパルスには、例えば、積分の開始／終了（露光の開始／終了）を指示する光電変換制御信号、各画素の出力時期を指示する読出制御信号（水平同期信号、垂直同期信号、転送信号等）が含まれる。
【００５２】
信号処理回路２１３は、ＣＣＤ３０２から出力される画像信号（アナログ信号）に所定のアナログ処理を施す。具体的には、信号処理回路２１３は、ＣＤＳ（二重相関サンプリング）回路とＡＧＣ（オートゲインコントロール）回路とを有しており、ＣＤＳ回路によって画像信号のノイズの低減を行い、ＡＧＣ回路のゲインを調整することにより画像信号のレベルの調整を行う。
【００５３】
Ａ／Ｄ変換器２０５は、画像信号に含まれるアナログの各画素信号を１０ビットのデジタル信号に変換する。このＡ／Ｄ変換は、タイミング制御回路２０２から与えられるＡ／Ｄ変換用のクロックに基づいて行われる。
【００５４】
黒レベル補正回路２０６は、Ａ／Ｄ変換された画素信号（以下、画素データという）の黒レベルを、基準の黒レベルに補正する。
【００５５】
ＷＢ回路２０７は、ホワイトバランスの調整のために、Ｒ、Ｇ、Ｂの各色成分の画素データのレベル変換を行う。このレベル変換は、γ補正後にホワイトバランスも合わせて調整されるようになされる。ＷＢ回路２０７は、全体制御部２１１内のレベル変換テーブルを参照して、Ｒ、Ｇ、Ｂの各色成分の画素データのレベルを変換する。なお、変換テーブルの各色成分の変換係数（特性の傾き）は、全体制御部２１１により、撮影画像ごとに設定される。
【００５６】
γ補正回路２０８は画素データのγ特性を補正する。γ補正回路２０８は、γ特性の異なる６種類のγ補正テーブルを有しており、撮影シーンや撮影条件に応じてあらかじめ定められたγ補正テーブルを用いてγ補正を行う。
【００５７】
画像メモリ２０９は、γ補正回路２０８から出力される画素データを一時的に記憶する。画像メモリ２０９は１フレーム分の画素データを記憶する。ＣＣＤ３０２は横１６００×縦１２００の画素より成り、画像メモリ２０９は１６００×１２００画素分の画素データの記憶容量を有し、各画素データをＣＣＤ３０２上の画素位置に対応させて記憶する。
【００５８】
ＶＲＡＭ２１０は、ＬＣＤ２１２に表示する画像の画素データを記憶するためのバッファメモリである。ＬＣＤ２１２は横４００×縦３００の画素を有しており、ＶＲＡＭ２１０の記憶容量はこれに対応する。
【００５９】
ＬＣＤ２１２をオンにして撮影を行う場合、ＣＣＤ３０２により１／３０秒ごとに撮影された画像の各画素データが、Ａ／Ｄ変換器２０５ないしγ補正回路２０８の各回路で上述の処理を受けた後、画像メモリ２０９に記憶されるとともに、全体制御部２１１を介してＶＲＡＭ２１０に転送され、ＬＣＤ２１２に画像が表示される。使用者はこの表示を見ながら構図を設定したり、被写体に対する撮影レンズ３０１の焦点状態を確認したりすることができる。再生モードにおいては、メモリカード８から読み出された画像が、全体制御部２１１で所定の信号処理を施された後ＶＲＡＭ２１０に転送されて、ＬＣＤ２１２に表示される。
【００６０】
カードＩ／Ｆ２１５は、メモリカード８への画像データの書き込みおよびメモリカード８からの画像データの読み出しを行うためのインターフェースである。
【００６１】
図示しないが、全体制御部２１１は、撮影した画像の記録処理を行うために、フィルタリング処理を行うフィルタ部と、圧縮画像およびサムネイル画像を生成する記録画像生成部を備えており、また、メモリカード８に記録された画像をＬＣＤ２１２に表示するために、再生画像を生成する再生画像生成部を備えている。
【００６２】
フィルタ部は、記録すべき画像の高周波成分をデジタルフィルタにより補正して、輪郭に関する画質の調整を行うものである。記録画像生成部は、画像メモリ２０９から画素データを読み出して、メモリカード８に記録する圧縮画像とサムネイル画像とを生成する。記録画像生成部は、画像メモリ２０９をラスタ走査し、横方向についても縦方向についても所定の間隔で離間した画素データを読み出すことで、サムネイル画像を生成する。読み出された画像データは順次メモリカード８に転送され、サムネイル画像の生成と記録は並行して行われる。サムネイル画像はメモリカード８のサムネイル画像エリアに記録される。
【００６３】
記録画像生成部は、また、画像メモリ２０９から全ての画素データを読み出し、これらの画素データに２次元ＤＣＴ（ディスクリートコサイン変換）、ハフマン符号化等のＪＰＥＧ方式による所定の圧縮処理を施して、圧縮した画像を生成する。生成された圧縮画像は、メモリカード８に転送されて、その本画像エリアに記録される。
【００６４】
全体制御部２１１は、シャッタボタン９の操作により撮影が指示されると、その指示の後に画像メモリ２０９に記憶された画素データから、圧縮画像とサムネイル画像を生成し、その撮影画像に関するタグ情報（コマ番号、露出値、シャッタスピード、撮影日時、シーン情報、画像の判定結果等の情報）と共に、両画像をメモリカード８に記録する。
【００６５】
なお、カメラ制御ＣＰＵ２２０は、前述の電池より成る電源部Ｅからの電力供給も制御する。電源スイッチＰＳが操作されて電力供給の停止が指示されると、カメラ制御ＣＰＵ２２０は電源部Ｅに停止信号を与え、電源部Ｅはこれに応じて、電力の供給を停止する。
【００６６】
クイックリターンミラーＭ１の駆動機構について、図６を参照して説明する。クイックリターンミラーＭ１は、大きな開口を有する保持枠１２２に接着剤によって固定されており、保持枠１２２は支持部材であるミラー支持台１２３に支持されている。保持枠１２２はその一端の近傍に左右に突出する腕部を有し、これらの腕部には穴１２２ａ、１２２ｂが形成されている。支持台１２３は保持枠１２２の開口と略同じ大きさの開口を有し、保持枠１２２の穴１２２ａ、１２２ｂに対向する部位に穴１２３ａ、１２３ｂが形成されている。
【００６７】
保持枠１２２の穴１２２ａとミラー支持台１２３の穴１２３ａには軸１２５ａが挿通され、穴１２２ｂと穴１２３ｂには軸１２５ｂが挿通されている。軸１２５ａ、１２５ｂは同一直線上にあり、保持枠１２２は、軸１２５ａ、１２５ｂを中心に、支持台１２３に対して回動可能である。
【００６８】
ミラー支持台１２３は、軸１２５ａ、１２５ｂが撮影レンズ３０１の光軸に対して垂直な方向を向き、軸１２５ａ、１２５ｂが後側（ＣＣＤ３０２側）かつ上側（光学ファインダ２２側）になるように、撮影レンズ３０１からＣＣＤ３０２に至る光路上に斜めに配置されている。保持枠１２２は回動可能であるが、支持台１２３に当接することにより回動範囲の一端を規定される。保持枠１２２が支持台１２３に当接しているとき、クイックリターンミラーＭ１は撮影レンズ３０１の光軸に対して４５°の角度となる進出位置をとる。
【００６９】
ミラー支持台１２３の側部には、ミラーＭ１を保持枠１２２と共に回動させる駆動部１２４が設けられている。駆動部１２４はシリンダ１２４ｃとその内部を摺動するプランジャ１２４ｂより成り、シリンダ１２４ｃ内部に設けられた電磁石でプランジャ１２４ｂを移動させる。シリンダ１２４ｃはビス１２４ｄによって支持台１２３に固定されている。プランジャ１２４ｂの先端部には平行な２つの突起１２４ｘ、１２４ｙより成る係合部１２４ａが固定されており、保持枠１２２の腕部に設けられた突起１２２ｚが、突起１２４ｘ、１２４ｙの間隙１２４ｚに通されている。保持枠１２２の突起１２２ｚは、間隙１２４ｚ内で摺動自在である。
【００７０】
保持枠１２２が支持台１２３に当接してミラーＭ１が進出位置にあるとき、駆動部１２４はプランジャ１２４ｂがシリンダ１２４ｃに浅く入った状態となる。この状態で駆動部１２４に順方向に通電すると、プランジャ１２４ｂは矢印Ａ５方向に移動してシリンダ１２４ｃに深く引き込まれる。これにより、保持枠１２２の突起１２２ｚが、間隙１２４ｚ内を摺動しながら、軸１２５ａ、１２５ｂを中心に矢印Ａ７方向に回動し、クイックリターンミラーＭ１は保持枠１２２と共に退避位置に移動する。
【００７１】
ミラーＭ１が退避位置にある状態で駆動部１２４に逆方向に通電すると、プランジャ１２４ｂは矢印Ａ６方向に移動してシリンダ１２４ｃに浅く入った位置に戻る。これにより、保持枠１２２の突起１２２ｚが、間隙１２４ｚ内を摺動しながら、軸１２５ａ、１２５ｂを中心に矢印Ａ８方向に回動し、ミラーＭ１は保持枠１２２が支持台１２３に当接する進出位置に復帰する。
【００７２】
クイックリターンミラーＭ１を駆動するための駆動部１２４も、前述のＣＣＤユニット３０３の変位機構３０７の駆動部３０６と同様に、自己保持型である。具体的には、電磁石の他に、駆動部１２４のプランジャ１２４ｂとシリンダ１２４ｃにはそれぞれ永久磁石が備えられている。これらの永久磁石は、両極を結ぶ方向がプランジャの移動方向と一致するように配置されている。Ｎ極からＳ極に向かう方向はプランジャの永久磁石とシリンダの永久磁石とで逆であり、また、プランジャの磁石の両極間距離はシリンダの磁石の両極間距離の半分程度に設定されている。したがって、電磁石への通電がないとき、プランジャは、プランジャのＮ極とシリンダのＳ極が対向する位置と、プランジャのＳ極とシリンダのＮ極が対向する位置の２ヶ所で、安定に保持される。
【００７３】
電磁石は、プランジャとシリンダの永久磁石間の引力よりも大きな力を生成して、プランジャを移動させる。ただし、プランジャとシリンダの永久磁石の強さは、僅かな衝撃ではプランジャが移動しない範囲で低く設定されており、電磁石の電力消費は僅かである。また、プランジャを移動させた後は電磁石への通電は不要であり、移動のため以外には電力消費はない。
【００７４】
駆動部１２４のプランジャ１２４ｂの一方の自己保持位置は、保持枠１２２が支持台１２３に当接する位置よりも、シリンダ１２４ｃ内で少し浅くなるように設定されている。このため、保持枠１２２には、支持台１２３に押し当てる付勢力が働くことになり、ミラーＭ１の進出位置は支持台１２３によって決定される。したがって、ミラーＭ１の進出位置は厳密に定まる。
【００７５】
一方、ミラーＭ１の退避位置はプランジャ１２４ｂの他方の自己保持位置に対応する。ミラーＭ１の退避位置は、撮影レンズ３０１からＣＣＤ３０２に至る光路から外れ、スクリーン２２０に当接しない範囲であれば、どこでもよく、プランジャの保持位置に多少の誤差があっても許容されるからである。支持台１２３またはカメラ本体２にミラーＭ１の退避位置を規定するための部材を設けるようにしてもよい。また、プランジャ１２４ｂがシリンダ１２４ｃに当接する構成とし、これにより退避位置を規定することも可能である。
【００７６】
なお、ここでは永久磁石の引力を利用して駆動部１２４の自己保持を実現したが、永久磁石の斥力により保持枠１２２を支持台１２３に押し当てる構成とすることもできる。
【００７７】
また、駆動部１２４を自己保持型とすることに代えて、非通電時には保持枠１２２をバネで支持台１２３に押し当てるようにし、通電時にバネの付勢力に抗して保持枠１２２を退避位置に移動させるようにしてもよい。この構成では、ＣＣＤ３０２によって撮影を行うときのみに駆動部１２４に通電することになるので、光学ファインダモード１、２での電力消費を最小限に抑えることができる。逆に、非通電時には保持枠１２２をバネで退避位置に保持するようにし、通電時にバネの付勢力に抗して保持枠１２２を進出位置に移動させるようにしてもよい。この構成では、液晶ファインダモードでの電力消費を最小限に抑えることができる。
【００７８】
前述のように、デジタルカメラ１では、撮影レンズ３０１をカメラ本体２に収容可能としている。これを実現するために、ミラー支持台１２３は、回動可能に構成されている。支持台１２３は、保持枠１２２の回動軸１２５ａ、１２５ｂを挿通する穴１２３ａ、１２３ｂの近傍に、軸１２３ｃを挿通するための穴を有している。軸１２３ｃは、回動軸１２５ａ、１２５ｂと平行であり、その両端はカメラ本体２の側板に固定されている。支持台１２３はこの軸１２３ｃを中心に回動する。
【００７９】
回動軸１２３ｃの一端にはバネ１２６が巻き付けられており、バネ１２６の一端はカメラ本体２の側板１２５ｅに設けられた突起１２５ｄに、他端は支持台１２３の側部に設けられた突起１２３ｄに係合している。バネ１２６は、支持台１２３を矢印Ａ９の方向（ミラーＭ１が退避位置に向かう方向）に付勢している。カメラ本体２の側板１２５ｅには、支持台１２３の突起１２３ｄが当接する突起１２５ｃが設けられており、これにより、バネ１２６の付勢力による支持台１２３の矢印Ａ９方向への回動は規制される。支持台１２３は、撮影レンズ３０１を収容しないときは、突起１２３ｄが突起１２５ｃに当接した状態に保たれ、撮影レンズ３０１の光軸に対して４５°の角度となる。
【００８０】
ミラー支持台１２３の下端には突起１２３ｅが形成されている。突起１２３ｅは、その先端部が下方を向くように、なだらかに湾曲した形状とされている。図７に、側方から見たデジタルカメラ１の断面を示す。撮影レンズ３０１のレンズ鏡筒３０１１の後端下部には、支持台１２３の突起１２３ｅに当接する突起３０１ｅが形成されている。図７において破線は、カメラ本体２に収容した撮影レンズ３０１と、その時の支持台１２３を表している。撮影レンズ３０１をカメラ本体２に収容しないとき、突起３０１ｅは突起１２３ｅから離間する。
【００８１】
電源スイッチＰＳの操作により電力供給停止の指示を受けると、カメラ制御ＣＰＵ２２０はレンズ駆動モータ２２１を駆動して、撮影レンズ３０１を図２、図７の矢印Ａ１方向に移動させる。撮影レンズ３０１が焦点調節可能範囲の無限端側を超えた段階で、レンズ鏡筒３０１１の突起３０１ｅが突起１２３ｅに当接し、撮影レンズ３０１のさらなる移動で、ミラー支持台１２３はレンズ鏡筒３０１１に押されて、回動軸１２３ｃを中心に、ＣＣＤユニット３０３側に回動する。
【００８２】
カメラ制御ＣＰＵ２２０は、焦点調節可能範囲の無限端からの移動距離が所定量に達した段階で、モータ２２１の駆動を止めて、撮影レンズ３０１を停止させる。このとき、撮影レンズ３０１はその大部分がカメラ本体２に収容された状態となり、ミラー支持台１２３は、撮影レンズ３０１の光軸に対して略垂直で、フォーカルプレーンシャッタ２６から僅かに離間した状態（図２に一点鎖線、図７に破線で示す）となる。カメラ制御ＣＰＵ２２０は、モータ２２１の駆動を止めると同時に、モータ２２１を含むあらゆる部位への電力供給を停止させる。
【００８３】
なお、この収容動作に先だって、カメラ制御ＣＰＵ２２０は、クイックリターンミラーＭ１を進出位置に設定しておく。これにより、退避位置にあるミラーＭ１を支持台１２３の回動により誤って回動させて、ミラーＭ１と撮影レンズ３０１とを衝突させることが避けられる。カメラ制御ＣＰＵ２２０は、また、クイックリターンミラーＭ１を進出位置に設定した後は、電源部Ｅから駆動部１２４への電力供給を禁止する。これにより、収容動作中に、駆動部１２４が誤ってミラーＭ１を回動させて、ミラーＭ１と撮影レンズ３０１とを衝突させることが避けられる。したがって、撮影レンズ３０１を収容する際に、撮影レンズ３０１やミラーＭ１が損傷する恐れはない。
【００８４】
撮影レンズ３０１をカメラ本体２に収容する際の、各部の動作のタイミングを図８に示す。図８において、横軸は時間であり、ｔ１は電力供給停止を指示する電源スイッチＰＳの操作時点、ｔ２はモータ２２１の駆動開始時点、ｔ３はモータ２２１の駆動終了時点を表している。ミラーＭ１を進出位置に回動させる処理は、電源スイッチＰＳの操作後直ちに行われ、その後にモータ２２１の駆動が開始される。電源スイッチＰＳの操作時に既にミラーＭ１が進出位置にあるときは、ミラーＭ１の回動処理は省略され、実質的にｔ２＝ｔ１となる。
【００８５】
カメラ制御ＣＰＵ２２０は、駆動部１２４への電力供給の可否を表す通電禁止フラグを、モータ２２１の駆動開始（ｔ２）から終了（ｔ３）まで、禁止に対応するオンに設定する。モータ２２１の駆動終了時点（ｔ３）は、電源部Ｅから各部への電力供給の停止時点でもある。
【００８６】
撮影レンズ３０１の収容に際し、クイックリターンミラーＭ１を進出位置に回動させるための、駆動部１２４の位置の制御の処理の流れを図９に示す。まず、ミラーＭ１が進出位置にある（ダウン）か退避位置にある（アップ）かを判定する（ステップ＃２）。ミラーＭ１が退避位置にあるときは、駆動部１２４に逆方向に通電することにより、ミラーＭ１を進出位置まで回動させる（＃４）。回動後、ミラーＭ１は駆動部１２４の自己保持機能により進出位置に保たれるから、通電を停止して本処理を終了する。ステップ＃２の判定で、ミラーＭ１が進出位置にあるときには、ステップ＃４を省略して処理を終了する。
【００８７】
カメラ制御ＣＰＵ２２０は、電源スイッチＰＳが操作されて電力供給の開始が指示されると、レンズ駆動モータ２２１を駆動して、カメラ本体２に収容されている撮影レンズ３０１を焦点調節が可能な位置まで移動させる。バネ１２６の付勢力を受けているミラー支持台１２３は、撮影レンズ３０１の前方への移動に伴って、図６の矢印Ａ９方向に回動し、突起１２３ｄが突起１２５ｃに当接した位置で停止する。
【００８８】
カメラ制御ＣＰＵ２２０は、レンズ鏡筒３０１１の突起３０１ｅが支持台１２３の突起１２３ｅから離間した後もモータ２２１の駆動を継続して、所定の基準位置に達した時点で撮影レンズ３０１を停止させる。この基準位置は、無限遠から最短撮影距離に対応する範囲内であればどこでもよいが、ピントの合ったファインダ像を使用者に速やかに提供するために、広い距離範囲に対して焦点が合うパンフォーカス位置に設定するのが好ましい。
【００８９】
撮影レンズ３０１を焦点調節可能な位置に移動させるこの制御においても、カメラ制御ＣＰＵ２２０は、撮影レンズ３０１を移動させている間は、電源部Ｅから駆動部１２４への電力の供給を禁止する。これにより、駆動部１２４の誤動作でクイックリターンミラーＭ１が回動して撮影レンズ３０１に衝突することが避けられ、両者の損傷を確実に防止することができる。なお、カメラ制御ＣＰＵ２２０は、電源スイッチＰＳの操作により電力の供給が指示されると、電源部Ｅに対し、駆動部１２４を除く各部への電力供給の開始を指令するが、ＬＣＤ２１２への電力供給は、選択されている撮影モード、および表示ボタン２１３の設定に応じて行う。
【００９０】
カメラ本体２に収容した撮影レンズ３０１を焦点調節可能な位置に移動させる際の、各部の動作のタイミングを図１０に示す。図１０において、横軸は時間であり、ｔ４は電力供給開始を指示する電源スイッチＰＳの操作時点、ｔ５はモータ２２１の駆動終了時点を表している。電源スイッチＰＳの操作が検出されると、カメラ制御ＣＰＵ２２０は直ちにモータ２２１を駆動して、撮影レンズ３０１を前方に移動させる。そして、撮影レンズ３０１が基準位置に達した時点でモータ２２１の駆動を停止する。モータ２２１の駆動開始（ｔ４）から駆動終了（ｔ５）までは、駆動部１２４への電力供給の可否を表す前述の通電禁止フラグは、禁止に対応するオンに設定される。
【００９１】
以上説明したように、デジタルカメラ１においては、プランジャ１２４ｂとシリンダ１２４ｃから成る駆動部１２４を備えて、プランジャ１２４ｂの直線的な動きを回転に変換しつつクイックリターンミラーＭ１に伝達するようにしている。これにより、ミラーＭ１の迅速な回動を可能にしながら、駆動部１２４を電力消費の少ない自己保持型とすることが容易になっている。しかも、駆動部１２６を回動可能なミラー支持台１２３に固定して、撮影レンズ３０１からＣＣＤ３０２に至る光路に対して斜めに配置しているため、駆動部１２６が細長い形状でありながら、全体構成の大型化を避けることができる。駆動部１２６を細長い形状としたことで、撮影レンズ３０１をカメラ本体２に収容するための空間の確保も容易になっている。
【００９２】
回転力を直接生成するモータを備えて、その回転を直接またはギア等を介して間接にクイックリターンミラーＭ１に伝達する構成としてもよい。その場合も、モータをミラー支持台１２３に固定して、撮影レンズ３０１収容の障害にならないようにする。
【００９３】
また、ここではクイックリターンミラーＭ１をハーフミラーとしたが、ミラーＭ１として全反射ミラーを備える構成とすることも可能である。その場合、光学ファインダ２２とＬＣＤ２１２の同時利用はできなくなるが、光学ファインダ２２のみを用いるモードに加えて、液晶ファインダモードを利用することができるから、銀塩フィルムを使用するカメラよりも使い勝手がよくなる。
【００９４】
【発明の効果】
本発明のデジタルカメラは、撮影レンズから撮像素子に至る光路に回動により退避するミラーを配置して、光路を分岐するようにしているため、撮影レンズ透過光を利用する光学ファインダを備えることができる。このため、ビデオファインダによる電力消費が抑えられ、しかも、パララックスのないファインダ像を提供することができる。また、ミラーを退避させることにより、撮影レンズを透過した光の全てを撮像素子に導くことが可能であり、明るい画像を撮影することができる。さらに、ミラーを回動させるための駆動部材を光路に対して斜めに配置することができるから、大型化を最小限に抑えることができる。
【００９５】
撮影レンズを光軸方向に可動にして、少なくともその一部を本体に収容し得るようにし、撮影レンズの収容に際して、支持部材がレンズ鏡筒によって押されてミラーと共に回動するようにした構成では、撮影レンズの収容のための広い空間を本体内に確保することができて、小型のデジタルカメラとなる。
【００９６】
さらに、撮影レンズの収容に際し、駆動部への電力の供給を断つようにした構成では、収容動作の間にミラーが誤って回動するのを確実に避けることが可能になり、ミラーと撮影レンズの衝突による両者の損傷を防止することができる。
【００９７】
駆動部材を自己保持型として、電力供給がないときにミラーを第１または第２の位置に保つようにした構成では、ミラーを停止している状態に保つための電力が不要になり、電力消費を低減することができる。例えば、長時間露光の撮影においても、電力消費は短時間露光の撮影と同じになる。
【図面の簡単な説明】
【図１】  本発明の一実施形態のデジタルカメラの上面図。
【図２】  上記デジタルカメラの断面図。
【図３】  上記デジタルカメラの背面図。
【図４】  上記デジタルカメラのＣＣＤユニット変位機構の正面図および断面図。
【図５】  上記デジタルカメラの概略の回路構成を示すブロック図。
【図６】  上記デジタルカメラのクイックリターンミラー駆動機構の分解斜視図。
【図７】  上記デジタルカメラの撮影レンズとミラー支持台の関係を示す断面図。
【図８】  上記デジタルカメラにおけるカメラ本体への撮影レンズ収容時の、各部の動作の時期を示すタイミングチャート。
【図９】  上記デジタルカメラにおけるカメラ本体への撮影レンズ収容時の、クイックリターンミラーの駆動制御の処理の流れを示すフローチャート。
【図１０】  上記デジタルカメラにおけるカメラ本体からの撮影レンズ復帰時の、各部の動作の時期を示すタイミングチャート。
【符号の説明】
１    デジタルカメラ
２    カメラ本体
８    メモリカード
９    シャッタボタン
Ｍ１    クイックリターンミラー（ハーフミラー）
２２    光学ファインダ
２６    フォーカルプレーンシャッタ
１２２    ミラー保持枠
１２３    ミラー支持台
１２４    ミラー駆動部
１２６    バネ
２１２    ＬＣＤ
２１３    表示ボタン
２２０    フォーカシングスクリーン
２２１    撮影レンズ駆動モータ
２２５    ペンタプリズム
２２６    接眼レンズ
３０１    撮影レンズ
３０２    ＣＣＤ
３０３    ＣＣＤユニット
３０６    ユニット駆動部
３０７    ユニット駆動機構
【図１】
0003718744.tif 000003
【図２】
0003718744.tif 000004
【図３】
0003718744.tif 000005
【図４】
0003718744.tif 000006
【図５】
0003718744.tif 000007
【図６】
0003718744.tif 000008
【図７】
0003718744.tif 000009
【図８】
0003718744.tif 000010
【図９】
0003718744.tif 000011
【図１０】
0003718744.tif 000012